(57)【要約】【課題】過大な電流による２次側のスイッチの破損を抑制できる双方向絶縁型ＤＣ／ＤＣコンバータを提供する。【解決手段】絶縁変圧部ＴＲ１と、第１スイッチ回路１１を含む電圧型の第１回路と、第２スイッチ回路１２とチョークコイルＬ１２とを含む電流型の第２回路と、制御部１３とを備えた双方向絶縁型ＤＣ／ＤＣコンバータであって、制御部１３は、位相シフト制御および同期整流制御を行うスイッチ制御回路１３と、スイッチＱ１１、Ｑ１６またはＱ１２、Ｑ１５をオフさせてチョークコイルＬ１２にエネルギーが蓄積されないようにするオフ期間を発生させるオフ期間発生回路１５とを備える。オフ期間発生回路１５は、同期整流制御が開始されるとオフ期間を発生させ、かつオフ期間を徐々に減少させる。【選択図】図１
2018121430.tif 000002
【特許請求の範囲】
【請求項１】
絶縁変圧部と、
前記絶縁変圧部の１次側に設けられた、第１スイッチ回路を含む電圧型の第１回路と、
前記絶縁変圧部の２次側に設けられた、第２スイッチ回路とチョークコイルとを含む電流型の第２回路と、
前記第１スイッチ回路に対して位相シフト制御を行う一方、前記第２スイッチ回路に対して同期整流制御を行う制御部と、を備え、
前記第１回路から前記第２回路への順方向電力変換と、前記第２回路から前記第１回路への逆方向電力変換と、を行う双方向絶縁型ＤＣ／ＤＣコンバータであって、
前記制御部は、
前記位相シフト制御および前記同期整流制御を行うスイッチ制御回路と、
前記第１スイッチ回路または前記第２スイッチ回路に含まれる少なくとも１つのスイッチをオフさせて、位相シフト量の時間差に相当するシフト期間とは別に、前記チョークコイルにエネルギーが蓄積されないようにするオフ期間を発生させるオフ期間発生回路と、を備える
ことを特徴とする双方向絶縁型ＤＣ／ＤＣコンバータ。
【請求項２】
前記スイッチ制御回路は、前記位相シフト制御を開始すると、前記位相シフト量を最小値から徐々に増加させるソフトスタート制御を行い、
前記オフ期間発生回路は、前記同期整流制御が開始されると前記オフ期間を発生させ、かつ前記オフ期間を徐々に減少させる
ことを特徴とする請求項１に記載の双方向絶縁型ＤＣ／ＤＣコンバータ。
【請求項３】
前記第１スイッチ回路は、フルブリッジ回路であり、
前記第２スイッチ回路は、プッシュプル回路であり、
前記オフ期間発生回路は、前記フルブリッジ回路に含まれる一のスイッチと前記プッシュプル回路に含まれる一のスイッチとをオフさせて前記オフ期間を発生させる
ことを特徴とする請求項１または２に記載の双方向絶縁型ＤＣ／ＤＣコンバータ。
【請求項４】
前記第１スイッチ回路は、第１フルブリッジ回路であり、
前記第２スイッチ回路は、第２フルブリッジ回路であり、
前記オフ期間発生回路は、前記第１フルブリッジ回路に含まれる一のスイッチをオフさせて前記オフ期間を発生させる
ことを特徴とする請求項１または２に記載の双方向絶縁型ＤＣ／ＤＣコンバータ。
【請求項５】
前記オフ期間発生回路は、
三角波信号を出力する三角波発生回路と、
所定の時定数で充電され、充電量に応じた出力信号を出力するＲＣ充電回路と、
前記同期整流制御が開始されると前記ＲＣ充電回路を充電する同期発振回路と、
前記三角波信号と前記出力信号との大小関係に応じて、第１レベルの第１信号または第２レベルの第２信号を出力する比較回路と、
前記第１信号が入力された場合、前記スイッチ制御回路から出力された制御信号をオフにして出力する一方、前記第２信号が入力された場合、前記制御信号をそのまま出力するゲート回路と、を備える
ことを特徴とする請求項１〜４のいずれか一項に記載の双方向絶縁型ＤＣ／ＤＣコンバータ。
【発明の詳細な説明】
【技術分野】
【０００１】
本発明は、双方向絶縁型ＤＣ／ＤＣコンバータに関する。
【背景技術】
【０００２】
近年、地球温暖化対策として循環型社会の実現のため、電源機器の省エネルギー化、高効率化の実現が急務となっている。その中でも、太陽光発電装置、家庭用蓄電池、電気自動車等に搭載されるＤＣ／ＤＣコンバータは、電源機器の中核として多様な用途に用いられている。特に、位相シフトフルブリッジ型のＤＣ／ＤＣコンバータは、数キロから数十キロワットの中型高効率で、幅広い電圧に対応できる。
【０００３】
位相シフトフルブリッジ型のＤＣ／ＤＣコンバータとしては、例えば、非特許文献１に記載のものが知られている。図１３に示すように、非特許文献１に記載のＤＣ／ＤＣコンバータは、フルブリッジ回路を含む電圧型の１次側回路と、プッシュプル回路とチョークコイルとを含む電流型の２次側回路と、を備える。フルブリッジ回路を構成するスイッチＱＡ〜ＱＤは、位相シフト制御され、プッシュプル回路を構成するスイッチＱＥ、ＱＦは、同期整流制御される。このＤＣ／ＤＣコンバータは、１次側回路から２次側回路への順方向電力変換を行う。
【０００４】
図１４に、非特許文献１に記載のＤＣ／ＤＣコンバータの起動時のタイミングチャートを示す。図１４から分かるように、このＤＣ／ＤＣコンバータは、起動すると、位相シフト制御および同期整流制御を行うとともに、起動時には位相シフト量を最小値から徐々に増加させるソフトスタート制御を行う。
【先行技術文献】
【非特許文献】
【０００５】
【非特許文献１】“同期整流制御内蔵、グリーン・モード、位相シフト・フルブリッジ・コントローラ”、[online]、2011年、日本テキサス・インスツルメンツ株式会社、［平成28年9月2日検索］、インターネット<URL:http://www.tij.co.jp/product/jp/ucc28950>
【発明の概要】
【発明が解決しようとする課題】
【０００６】
図１３に示す非特許文献１に記載のＤＣ／ＤＣコンバータにおいて、２次側出力電圧ＶＯＵＴが目標電圧より高いと同期整流により２次側から１次側への逆電力変換が生じるが、起動時に２次側回路から１次側回路への逆方向電力変換を行う場合、位相シフト量が最小値になっているため、２次側回路に含まれるチョークコイルへのエネルギー蓄積期間は最大になる。その結果、過大な電流がプッシュプル回路を構成するスイッチＱＥ、ＱＦに流れ、スイッチＱＥ、ＱＦが破損するおそれがある。
【０００７】
本発明は上記事情に鑑みてなされたものであって、その課題とするところは、過大な電流による２次側のスイッチの破損を抑制できる双方向絶縁型ＤＣ／ＤＣコンバータを提供することにある。
【課題を解決するための手段】
【０００８】
上記課題を解決するために、本発明に係る双方向絶縁型ＤＣ／ＤＣコンバータは、
絶縁変圧部と、
前記絶縁変圧部の１次側に設けられた、第１スイッチ回路を含む電圧型の第１回路と、
前記絶縁変圧部の２次側に設けられた、第２スイッチ回路とチョークコイルとを含む電流型の第２回路と、
前記第１スイッチ回路に対して位相シフト制御を行う一方、前記第２スイッチ回路に対して同期整流制御を行う制御部と、を備え、
前記第１回路から前記第２回路への順方向電力変換と、前記第２回路から前記第１回路への逆方向電力変換と、を行う双方向絶縁型ＤＣ／ＤＣコンバータであって、
前記制御部は、
前記位相シフト制御および前記同期整流制御を行うスイッチ制御回路と、
前記第１スイッチ回路または前記第２スイッチ回路に含まれる少なくとも１つのスイッチをオフさせて、位相シフト量の時間差に相当するシフト期間とは別に、前記チョークコイルにエネルギーが蓄積されないようにするオフ期間を発生させるオフ期間発生回路と、を備える
ことを特徴とする。
【０００９】
この構成によれば、オフ期間発生回路が、チョークコイルにエネルギーが蓄積されないようにするオフ期間を発生させるので、チョークコイルへのエネルギー蓄積期間が最大になるのを防ぐことができる。その結果、過大な電流による２次側のスイッチの破損を抑制できる。
【００１０】
上記双方向絶縁型ＤＣ／ＤＣコンバータにおいて、
前記スイッチ制御回路は、前記位相シフト制御を開始すると、前記位相シフト量を最小値から徐々に増加させるソフトスタート制御を行い、
前記オフ期間発生回路は、前記同期整流制御が開始されると前記オフ期間を発生させ、かつ前記オフ期間を徐々に減少させる
ように構成できる。
【００１１】
上記双方向絶縁型ＤＣ／ＤＣコンバータにおいて、
前記第１スイッチ回路は、フルブリッジ回路であり、
前記第２スイッチ回路は、プッシュプル回路であり、
前記オフ期間発生回路は、前記フルブリッジ回路に含まれる一のスイッチと前記プッシュプル回路に含まれる一のスイッチとをオフさせて前記オフ期間を発生させる
ように構成できる。
【００１２】
上記双方向絶縁型ＤＣ／ＤＣコンバータにおいて、
前記第１スイッチ回路は、第１フルブリッジ回路であり、
前記第２スイッチ回路は、第２フルブリッジ回路であり、
前記オフ期間発生回路は、前記第１フルブリッジ回路に含まれる一のスイッチをオフさせて前記オフ期間を発生させる
ように構成できる。
【００１３】
上記双方向絶縁型ＤＣ／ＤＣコンバータにおいて、
前記オフ期間発生回路は、
三角波信号を出力する三角波発生回路と、
所定の時定数で充電され、充電量に応じた出力信号を出力するＲＣ充電回路と、
前記同期整流制御が開始されると前記ＲＣ充電回路を充電する同期発振回路と、
前記三角波信号と前記出力信号との大小関係に応じて、第１レベルの第１信号または第２レベルの第２信号を出力する比較回路と、
前記第１信号が入力された場合、前記スイッチ制御回路から出力された制御信号をオフにして出力する一方、前記第２信号が入力された場合、前記制御信号をそのまま出力するゲート回路と、を備える
ように構成できる。
【発明の効果】
【００１４】
本発明によれば、過大な電流による２次側のスイッチの破損を抑制できる双方向絶縁型ＤＣ／ＤＣコンバータを提供することができる。
【図面の簡単な説明】
【００１５】
【図１】本発明の第１実施形態に係る双方向絶縁型ＤＣ／ＤＣコンバータの回路図である。
【図２】第１実施形態におけるスイッチの（ａ）起動時および（ｂ）起動後の制御タイミングを示すタイミングチャートである。
【図３】第１実施形態に係る双方向絶縁型ＤＣ／ＤＣコンバータの、逆方向電力変換時の（ａ）状態２および（ｂ）状態２−１における、電流経路を示す図である。
【図４】第１実施形態に係る双方向絶縁型ＤＣ／ＤＣコンバータの、逆方向電力変換時の（ａ）状態３および（ｂ）状態４における、電流経路を示す図である。
【図５】第１実施形態に係る双方向絶縁型ＤＣ／ＤＣコンバータの、逆方向電力変換時の（ａ）状態４−１および（ｂ）状態１における、電流経路を示す図である。
【図６】第１実施形態におけるオフ期間発生回路のブロック図である。
【図７】本発明の第２実施形態に係る双方向絶縁型ＤＣ／ＤＣコンバータの回路図である。
【図８】第２実施形態におけるスイッチの（ａ）起動時および（ｂ）起動後の制御タイミングを示すタイミングチャートである。
【図９】第２実施形態に係る双方向絶縁型ＤＣ／ＤＣコンバータの、逆方向電力変換時の（ａ）状態２および（ｂ）状態２−２における、電流経路を示す図である。
【図１０】第２実施形態に係る双方向絶縁型ＤＣ／ＤＣコンバータの、逆方向電力変換時の（ａ）状態３および（ｂ）状態４における、電流経路を示す図である。
【図１１】第２実施形態に係る双方向絶縁型ＤＣ／ＤＣコンバータの、逆方向電力変換時の（ａ）状態４−２および（ｂ）状態１における、電流経路を示す図である。
【図１２】第２実施形態におけるオフ期間発生回路のブロック図である。
【図１３】従来のＤＣ／ＤＣコンバータの回路図である。
【図１４】従来のＤＣ／ＤＣコンバータにおけるスイッチの制御タイミングを示すタイミングチャートである。
【発明を実施するための形態】
【００１６】
以下、添付図面を参照して、本発明に係る双方向絶縁型ＤＣ／ＤＣコンバータの実施形態について説明する。
【００１７】
［第１実施形態］
図１に、本発明の第１実施形態に係る双方向絶縁型ＤＣ／ＤＣコンバータ１０を示す。双方向絶縁型ＤＣ／ＤＣコンバータ１０は、本発明の「絶縁変圧部」に相当するトランスＴＲ１を備え、トランスＴＲ１の１次側に設けられた第１回路からトランスＴＲ１の２次側に設けられた第２回路に電力を供給する順方向電力変換と、第２回路から第１回路に電力を供給する逆方向電力変換と、を行う。
【００１８】
順方向電力変換では、１次側の入出力端Ｔ１１、Ｔ１２から供給された電力が、２次側の入出力端Ｔ１３、Ｔ１４に接続された回路に供給される。一方、逆方向電力変換では、２次側の入出力端Ｔ１３、Ｔ１４から供給された電力が、１次側の入出力端Ｔ１１、Ｔ１２に接続された回路に供給される。例えば、第１回路は電力回路に接続され、第２回路は蓄電池等の回生機能を有する回路や、負荷と発電機能を有する回路と接続される。双方向絶縁型ＤＣ／ＤＣコンバータ１０は、例えば、入出力端Ｔ１３、Ｔ１４間の電圧が目標電圧以下のときに、順方向電力変換を行い、入出力端Ｔ１３、Ｔ１４間の電圧が目標電圧を超えているときに、逆方向電力変換を行う。
【００１９】
双方向絶縁型ＤＣ／ＤＣコンバータ１０は、電圧型の上記第１回路と、電流型の上記第２回路と、制御部１３と、を備える。第１回路は、入出力端Ｔ１１、Ｔ１２間に設けられたコンデンサＣ０１１と、本発明の「第１スイッチ回路」に相当するフルブリッジ回路１１と、共振コイルＬ１１と、を備える。共振コイルＬ１１は、トランスＴＲ１の漏れリアクタンスで代用してもよいし、別途設けてもよい。第２回路は、本発明の「第２スイッチ回路」に相当するプッシュプル回路１２と、チョークコイルＬ１２と、入出力端Ｔ１３、Ｔ１４間に設けられたコンデンサＣ０１２と、を備える。
【００２０】
フルブリッジ回路１１は、スイッチＱ１１〜Ｑ１４を含む。スイッチＱ１１は第１レグの上アームを構成し、スイッチＱ１２は第１レグの下アームを構成し、スイッチＱ１３は第２レグの上アームを構成し、スイッチＱ１４は第２レグの下アームを構成する。スイッチＱ１１およびスイッチＱ１２の接続点は、コイルＬ１１を介してトランスＴＲ１の１次巻線の一端に接続され、スイッチＱ１３およびスイッチＱ１４の接続点は、トランスＴＲ１の１次巻線の他端に接続される。スイッチＱ１１〜Ｑ１４としては、例えば、ＩＧＢＴやＭＯＳＦＥＴ等のパワー半導体を用いることができる。
【００２１】
スイッチＱ１１〜Ｑ１４には、ダイオードＤ１１〜Ｄ１４が逆並列接続されている。ダイオードとしては、スイッチＱ１１〜Ｑ１４の寄生ダイオード、または外付けダイオードを用いることができる。さらに、スイッチＱ１１〜Ｑ１４には、コンデンサＣ１１〜Ｃ１４が並列接続されている。コンデンサＣ１１〜Ｃ１４としては、スイッチＱ１１〜Ｑ１４の寄生キャパシタ、または外付け共振コンデンサを用いることができる。
【００２２】
プッシュプル回路１２は、スイッチＱ１５、Ｑ１６を含む。スイッチＱ１５の電流路の一端は、トランスＴＲ１の２次巻線の一端に接続される。スイッチＱ１６の電流路の一端は、トランスＴＲ１の２次巻線の他端に接続される。スイッチＱ１５の電流路の他端は、スイッチＱ１６の電流路の他端に接続される。スイッチＱ１５、Ｑ１６としては、例えば、ＩＧＢＴやＭＯＳＦＥＴ等のパワー半導体を用いることができる。
【００２３】
スイッチＱ１５、Ｑ１６には、ダイオードＤ１５、Ｄ１６が逆並列接続されている。ダイオードとしては、スイッチＱ１５、Ｑ１６の寄生ダイオード、または外付けダイオードを用いることができる。さらに、スイッチＱ１５、Ｑ１６には、コンデンサＣ１５、Ｃ１６が並列接続されている。コンデンサＣ１５、Ｃ１６としては、スイッチＱ１５、Ｑ１６の寄生キャパシタ、または外付け共振コンデンサを用いることができる。
【００２４】
チョークコイルＬ１２は、コンデンサＣ０１２とともにＬＣ回路を構成する。チョークコイルＬ１２は、一端がトランスＴＲ１の２次巻線の中点に接続され、他端が入出力端Ｔ１３に接続される。
【００２５】
制御部１３は、スイッチＱ１１〜Ｑ１６のスイッチング（オン／オフ）を制御するスイッチ制御回路１４と、本発明の特徴的部分であるオフ期間発生回路１５と、を含む。
【００２６】
スイッチ制御回路１４は、アナログＩＣ、マイコンやＦＰＧＡ（Field-Programmable Gate Array）等の制御用ＩＣによって構成される。スイッチ制御回路１４は、通常、２次側の入出力端Ｔ１３、Ｔ１４間の電圧等のフィードバック情報に基づき、フルブリッジ回路１１に対して位相シフト制御を行うとともに、プッシュプル回路１２に対して同期整流制御を行う。また、スイッチ制御回路１４は、起動時（位相シフト制御の開始時）に、位相シフト量を最小値から徐々に増加させるソフトスタート制御を行う。
【００２７】
オフ期間発生回路１５は、スイッチＱ１１〜Ｑ１４の一のスイッチおよびスイッチＱ１５、Ｑ１６の一のスイッチをオフさせて、位相シフト量の時間差に相当するシフト期間（ＴＤ）とは別に、チョークコイルＬ１２にエネルギーが蓄積されないようにするオフ期間（ＴＯＦＦ１、ＴＯＦＦ２）を発生させる。オフ期間発生回路１５の構成については、後述する。
【００２８】
続いて、図２を参照しながら、スイッチＱ１１〜Ｑ１６の制御タイミングについて説明する。
【００２９】
スイッチ制御回路１４は、起動（位相シフト制御を開始）すると、スイッチＱ１１〜Ｑ１４のＰＷＭ信号（制御信号Ｓ１１〜Ｓ１４）のデューティを５０％にするとともに、スイッチＱ１１のＰＷＭ信号に対してスイッチＱ１２のＰＷＭ信号の位相を反転させ、かつスイッチＱ１３のＰＷＭ信号に対してスイッチＱ１４のＰＷＭ信号の位相を反転させる。なお、本来は、ゼロ電圧スイッチングを行うための、スイッチＱ１１、Ｑ１２がともにオフになるデッドタイムと、スイッチＱ１３、Ｑ１４がともにオフになるデッドタイムとを設けているが、図２では省略する。
【００３０】
スイッチ制御回路１４は、スイッチＱ１１、Ｑ１２の位相に対してスイッチＱ１３、Ｑ１４の位相をシフトさせる。スイッチ制御回路１４は、位相シフト量を入出力端Ｔ１３、Ｔ１４間の電圧に応じて時々刻々と変化させるが、起動時においては、位相シフト量を最小化する。これにより、シフト期間ＴＤは最小になり、順方向電力変換量は最小になる。
【００３１】
スイッチ制御回路１４は、プッシュプル回路１２に対して起動時に同期整流制御を開始すると、スイッチＱ１３、Ｑ１４のＰＷＭ信号に同期して、スイッチＱ１５、Ｑ１６をオンさせる。具体的には、スイッチ制御回路１４は、スイッチＱ１３のオンに同期してスイッチＱ１５をオンさせ、スイッチＱ１２のオフに同期してスイッチＱ１５をオフさせ、スイッチＱ１４のオンに同期してスイッチＱ１６をオンさせ、スイッチＱ１１のオフに同期してスイッチＱ１６をオフさせる。これにより、スイッチＱ１１、Ｑ１４がともにオンのときにスイッチＱ１５がオフになり、スイッチＱ１２、Ｑ１３がともにオンのときにスイッチＱ１６がオフになる。
【００３２】
オフ期間発生回路１５は、起動時に同期整流制御が開始されると、図２（ａ）に示すように、シフト期間ＴＤとは別に、スイッチＱ１１、Ｑ１６をオフさせるオフ期間ＴＯＦＦ１と、スイッチＱ１２、Ｑ１５をオフさせるオフ期間ＴＯＦＦ２と、を発生させる（破線で示した部分）。オフ期間発生回路１５は、オフ期間ＴＯＦＦ１、ＴＯＦＦ２を徐々に減少させる（ＴＯＦＦ１＞ＴＯＦＦ２＞ＴＯＦＦ１＞ＴＯＦＦ２・・・）。その結果、スイッチＱ１５、Ｑ１６が同時にオンするオン期間ＴＯＮ１、ＴＯＮ２は、徐々に増加する（ＴＯＮ１＜ＴＯＮ２＜ＴＯＮ１＜ＴＯＮ２・・・）。
【００３３】
オフ期間発生回路１５は、起動完了時にはオフ期間ＴＯＦＦ１、ＴＯＦＦ２を最終的にゼロにする（図２（ｂ）参照）。なお、図２（ａ）、（ｂ）では、ソフトスタート制御による位相シフト量の増加を考慮していないため、シフト期間ＴＤが一定になっている。
【００３４】
図３〜図５に、図２（ａ）のタイミングチャートに従い逆方向電力変換を行ったときの、電流経路を示す。図３〜図５の各状態番号は、図２（ａ）に記載の状態番号に相当する。図３〜図５の各状態では、２次側の入出力端Ｔ１３、Ｔ１４間の電圧が、１次側の入出力端Ｔ１１、Ｔ１２間の電圧よりも高くなっているものとする。スイッチ制御回路１４は、逆方向電力変換時も、スイッチＱ１１〜Ｑ１４に対して位相シフト制御を行い、スイッチＱ１５、Ｑ１６に対して同期整流制御を行う。
【００３５】
図３（ａ）に示す状態２では、スイッチＱ１５、Ｑ１６がオンとなり、チョークコイルＬ１２にはトランスＴＲ１の２次巻線を経由した短絡電流が流れる。これにより、チョークコイルＬ１２にエネルギーが蓄積される。このときトランスＴＲ１の２次巻線に流れる電流が互いに打ち消し合うため、第１回路には電流が流れない。
【００３６】
図３（ｂ）に示す状態２−１では、オフ期間発生回路１５がオフ期間ＴＯＦＦ１を発生させる。すなわち、スイッチ制御回路１４は、スイッチＱ１１〜Ｑ１４に対して位相シフト制御を行い、スイッチＱ１５、Ｑ１６に対して同期整流制御を行うが、オフ期間発生回路１５が、スイッチＱ１１、Ｑ１６を強制的にオフさせる。これにより、チョークコイルＬ１２へのエネルギーの蓄積が中断され、第１回路に電流が流れる。第１回路では、入出力端Ｔ１２からダイオードＤ１２、トランスＴＲ１の１次巻線、スイッチＱ１３を経由して入出力端Ｔ１１に電流が流れる。
【００３７】
図４（ａ）に示す状態３では、スイッチＱ１２がオンする。これにより、入出力端Ｔ１２からスイッチＱ１２、トランスＴＲ１の１次巻線、スイッチＱ１３を経由して入出力端Ｔ１１に電流が流れる。
【００３８】
図４（ｂ）に示す状態４では、スイッチＱ１５、Ｑ１６がオンとなり、チョークコイルＬ１２にはトランスＴＲ１の２次巻線を経由した短絡電流が流れる。これにより、チョークコイルＬ１２にエネルギーが蓄積される。このときトランスＴＲ１の２次巻線に流れる電流が互いに打ち消し合うため、第１回路には電流が流れない。
【００３９】
図５（ａ）に示す状態４−１では、オフ期間発生回路１５がオフ期間ＴＯＦＦ２を発生させる。すなわち、スイッチ制御回路１４は、スイッチＱ１１〜Ｑ１４に対して位相シフト制御を行い、スイッチＱ１５、Ｑ１６に対して同期整流制御を行うが、オフ期間発生回路１５が、スイッチＱ１２、Ｑ１５を強制的にオフさせる。これにより、チョークコイルＬ１２へのエネルギーの蓄積が中断され、第１回路に電流が流れる。第１回路では、入出力端Ｔ１２からスイッチＱ１４、トランスＴＲ１の１次巻線、ダイオードＤ１１を経由して入出力端Ｔ１１に電流が流れる。
【００４０】
図５（ｂ）に示す状態１では、スイッチＱ１１がオンする。これにより、入出力端Ｔ１２からスイッチＱ１４、トランスＴＲ１の１次巻線、スイッチＱ１１を経由して入出力端Ｔ１１に電流が流れる。
【００４１】
続いて、図６を参照しながら、オフ期間発生回路１５の構成について説明する。
【００４２】
オフ期間発生回路１５は、三角波発生回路１５Ａ、１５Ｂと、同期発振回路１５Ｃと、ＲＣ充電回路１５Ｄと、コンパレータ等のアナログ信号の比較回路１５Ｅ、１５Ｆと、本発明の「ゲート回路」に相当するゲート部Ｐ１１、Ｐ１２、Ｐ１５、Ｐ１６と、を備える。
【００４３】
三角波発生回路１５Ａは、スイッチ制御回路１４から出力されたスイッチＱ１３の制御信号Ｓ１３に同期して三角波信号を生成し、当該三角波信号を比較回路１５Ｅに出力する。三角波発生回路１５Ｂは、スイッチ制御回路１４から出力されたスイッチＱ１４の制御信号Ｓ１４に同期して三角波信号を生成し、当該三角波信号を比較回路１５Ｆに出力する。三角波信号は、例えば、制御信号Ｓ１３、Ｓ１４がハイレベルになると立ち上がり、制御信号Ｓ１３、Ｓ１４がローレベルになると立ち下がる。
【００４４】
同期発振回路１５Ｃは、同期整流制御時にスイッチ制御回路１４から出力される同期オン信号が入力されているときに、制御信号Ｓ１３または制御信号Ｓ１４がハイレベルになると、ソフトスタート制御に合わせた時定数でＲＣ充電回路１５Ｄを充電する。ＲＣ充電回路１５Ｄは、抵抗およびコンデンサを含み、充電電圧に応じた信号を比較回路１５Ｅ、１５Ｆに出力する。
【００４５】
比較回路１５Ｅは、三角波発生回路１５Ａの三角波信号とＲＣ充電回路１５Ｄの出力信号とを比較し、例えば、三角波信号がＲＣ充電回路１５Ｄの出力信号よりも大のときにローレベルの信号（本発明の「第１信号」に相当）を出力し、三角波信号がＲＣ充電回路１５Ｄの出力信号よりも小のときにハイレベルの信号（本発明の「第２信号」に相当）を出力する。比較回路１５Ｆは、三角波発生回路１５Ｂの三角波信号とＲＣ充電回路１５Ｄの出力信号とを比較し、例えば、三角波信号が出力信号よりも大のときにローレベルの信号を出力し、三角波信号が出力信号よりも小のときにハイレベルの信号を出力する。ＲＣ充電回路１５Ｄの出力信号は、上記のとおりソフトスタート制御に合わせた時定数で増大するので、比較回路１５Ｅ、１５Ｆのローレベルの出力信号期間は徐々に短くなる。
【００４６】
ゲート部Ｐ１１、Ｐ１２、Ｐ１５、Ｐ１６は、イネーブル端子付きの論理素子または論理回路（例えば、ＡＮＤ回路）で構成される。ゲート部Ｐ１１の出力信号はスイッチＱ１１の制御端子に入力され、ゲート部Ｐ１２の出力信号はスイッチＱ１２の制御端子に入力され、ゲート部Ｐ１５の出力信号はスイッチＱ１５の制御端子に入力され、ゲート部Ｐ１６の出力信号はスイッチＱ１６の制御端子に入力される。なお、スイッチＱ１３、Ｑ１４の制御端子には、スイッチ制御回路１４から出力された制御信号Ｓ１３、Ｓ１４がそのまま入力される。
【００４７】
ゲート部Ｐ１１は、スイッチＱ１１の制御信号Ｓ１１と比較回路１５Ｅの出力信号とが入力され、比較回路１５Ｅの出力信号がローレベルの場合に制御信号Ｓ１１をローレベル（オフ）にしてスイッチＱ１１に出力する一方、比較回路１５Ｅの出力信号がハイレベルの場合に制御信号Ｓ１１をそのままスイッチＱ１１に出力する。ゲート部Ｐ１１を介した制御信号Ｓ１１がハイレベルの場合、スイッチＱ１１はオンし、ゲート部Ｐ１１を介した制御信号Ｓ１１がローレベルの場合、スイッチＱ１１はオフする。
【００４８】
ゲート部Ｐ１２は、スイッチＱ１２の制御信号Ｓ１２と比較回路１５Ｆの出力信号とが入力され、比較回路１５Ｆの出力信号がローレベルの場合に制御信号Ｓ１２をローレベル（オフ）にしてスイッチＱ１２に出力する一方、比較回路１５Ｆの出力信号がハイレベルの場合に制御信号Ｓ１２をそのままスイッチＱ１２に出力する。ゲート部Ｐ１２を介した制御信号Ｓ１２がハイレベルの場合、スイッチＱ１２はオンし、ゲート部Ｐ１２を介した制御信号Ｓ１２がローレベルの場合、スイッチＱ１２はオフする。
【００４９】
ゲート部Ｐ１５は、スイッチＱ１５の制御信号Ｓ１５と比較回路１５Ｆの出力信号とが入力され、比較回路１５Ｆの出力信号がローレベルの場合に制御信号Ｓ１５をローレベル（オフ）にしてスイッチＱ１５に出力する一方、比較回路１５Ｆの出力信号がハイレベルの場合に制御信号Ｓ１５をそのままスイッチＱ１５に出力する。ゲート部Ｐ１５を介した制御信号Ｓ１５がハイレベルの場合、スイッチＱ１５はオンし、ゲート部Ｐ１５を介した制御信号Ｓ１５がローレベルの場合、スイッチＱ１５はオフする。
【００５０】
ゲート部Ｐ１６は、スイッチＱ１６の制御信号Ｓ１６と比較回路１５Ｅの出力信号とが入力され、比較回路１５Ｅの出力信号がローレベルの場合に制御信号Ｓ１６をローレベル（オフ）にしてスイッチＱ１６に出力する一方、比較回路１５Ｅの出力信号がハイレベルの場合に制御信号Ｓ１６をそのままスイッチＱ１６に出力する。ゲート部Ｐ１６を介した制御信号Ｓ１６がハイレベルの場合、スイッチＱ１６はオンし、ゲート部Ｐ１６を介した制御信号Ｓ１６がローレベルの場合、スイッチＱ１６はオフする。
【００５１】
上記のとおり、比較回路１５Ｅ、１５Ｆのローレベルの出力信号は徐々に短くなるので、スイッチＱ１１、Ｑ１２、Ｑ１５、Ｑ１６が強制的にオフになるオフ期間（ＴＯＦＦ１、ＴＯＦＦ２）は徐々に短くなる。
【００５２】
結局、本実施形態に係る双方向絶縁型ＤＣ／ＤＣコンバータ１０によれば、オフ期間発生回路１５が、チョークコイルＬ１２にエネルギーが蓄積されないようにするオフ期間（ＴＯＦＦ１、ＴＯＦＦ２）を発生させるので、起動時にチョークコイルＬ１２へのエネルギー蓄積期間が最大になるのを防ぐことができる。その結果、逆方向電力変換の起動時の過大な電流による２次側のスイッチＱ１５、Ｑ１６の破損を抑制できる。
【００５３】
［第２実施形態］
図７に、本発明の第２実施形態に係る双方向絶縁型ＤＣ／ＤＣコンバータ２０を示す。双方向絶縁型ＤＣ／ＤＣコンバータ２０は、本発明の「絶縁変圧部」に相当するトランスＴＲ２と、電圧型の第１回路と、電流型の第２回路と、制御部２３と、を備え、第１回路から第２回路に電力を供給する順方向電力変換と、第２回路から第１回路に電力を供給する逆方向電力変換と、を行う。
【００５４】
順方向電力変換では、１次側の入出力端Ｔ２１、Ｔ２２から供給された電力が、２次側の入出力端Ｔ２３、Ｔ２４に接続された回路に供給される。一方、逆方向電力変換では、２次側の入出力端Ｔ２３、Ｔ２４から供給された電力が、１次側の入出力端Ｔ２１、Ｔ２２に接続された回路に供給される。例として第１回路が電力回路に接続され、第２回路が蓄電池等の回生機能を有する回路や、負荷と発電機能を有する回路と接続されるのは第１実施形態と同様である。双方向絶縁型ＤＣ／ＤＣコンバータ２０は、例えば、入出力端Ｔ２３、Ｔ２４間の電圧が目標電圧以下のときに、順方向電力変換を行い、入出力端Ｔ２３、Ｔ２４間の電圧が目標電圧を超えているときに、逆方向電力変換を行う。
【００５５】
第１回路は、入出力端Ｔ２１、Ｔ２２間に設けられたコンデンサＣ０２１と、本発明の「第１スイッチ回路」に相当する第１フルブリッジ回路２１と、共振コイルＬ２１と、を備える。共振コイルＬ２１は、トランスＴＲ２の漏れリアクタンスで代用してもよいし、別途設けてもよい。
【００５６】
第２回路は、本発明の「第２スイッチ回路」に相当する第２フルブリッジ回路２２と、チョークコイルＬ２２と、入出力端Ｔ２３、Ｔ２４間に設けられたコンデンサＣ０２２と、を備える。双方向絶縁型ＤＣ／ＤＣコンバータ２０は、上記のとおり第２フルブリッジ回路２２を備えるため、第１実施形態に係る双方向絶縁型ＤＣ／ＤＣコンバータ１０に比べて高電圧に対応できる。
【００５７】
第１フルブリッジ回路２１は、スイッチＱ２１〜Ｑ２４を含み、第２フルブリッジ回路２２は、スイッチＱ２５〜Ｑ２８を含む。第１フルブリッジ回路２１および第２フルブリッジ回路２２の構成は、第１実施形態におけるフルブリッジ回路１１と共通している。
【００５８】
チョークコイルＬ２２は、コンデンサＣ０２２とともにＬＣ回路を構成する。チョークコイルＬ２２は、一端がスイッチＱ２５またはＱ２７を介してトランスＴＲ２の２次巻線に接続され、他端が入出力端Ｔ２３に接続される。
【００５９】
制御部２３は、スイッチＱ２１〜Ｑ２８のスイッチング（オン／オフ）を制御するスイッチ制御回路２４と、本発明の特徴的部分であるオフ期間発生回路２５と、を含む。
【００６０】
スイッチ制御回路２４は、アナログＩＣ、マイコンやＦＰＧＡ（Field-Programmable Gate Array）等の制御用ＩＣによって構成される。スイッチ制御回路２４は、通常、２次側の入出力端Ｔ２３、Ｔ２４間の電圧等のフィードバック情報に基づき、第１フルブリッジ回路２１に対して位相シフト制御を行うとともに、第２フルブリッジ回路２２に対して同期整流制御を行う。また、スイッチ制御回路２４は、起動時（位相シフト制御の開始時）に、位相シフト量を最小値から徐々に増加させるソフトスタート制御を行う。
【００６１】
オフ期間発生回路２５は、スイッチＱ２１、Ｑ２２の一のスイッチをオフさせて、位相シフト量の時間差に相当するシフト期間（ＴＤ）とは別に、チョークコイルＬ２２にエネルギーが蓄積されないようにするオフ期間（ＴＯＦＦ１、ＴＯＦＦ２）を発生させる。オフ期間発生回路２５の構成については、後述する。
【００６２】
続いて、図８を参照しながら、スイッチＱ２１〜Ｑ２８の制御タイミングについて説明する。
【００６３】
スイッチ制御回路２４は、起動（位相シフト制御を開始）すると、スイッチＱ２１〜Ｑ２４のＰＷＭ信号（制御信号Ｓ２１〜Ｓ２４）のデューティを５０％にするとともに、スイッチＱ２１のＰＷＭ信号に対してスイッチＱ２２のＰＷＭ信号の位相を反転させ、かつスイッチＱ２３のＰＷＭ信号に対してスイッチＱ２４のＰＷＭ信号の位相を反転させる。なお、本来は、ゼロ電圧スイッチングを行うための、スイッチＱ２１、Ｑ２２がともにオフになるデッドタイムと、スイッチＱ２３、Ｑ２４がともにオフになるデッドタイムとを設けているが、図８では省略する。
【００６４】
スイッチ制御回路２４は、スイッチＱ２１、Ｑ２２の位相に対してスイッチＱ２３、Ｑ２４の位相をシフトさせる。スイッチ制御回路２４は、位相シフト量を入出力端Ｔ２３、Ｔ２４間の電圧に応じて時々刻々と変化させるが、起動時においては、位相シフト量を最小化する。これにより、シフト期間ＴＤは最小になり、順方向電力変換量は最小になる。
【００６５】
スイッチ制御回路２４は、第２フルブリッジ回路２２に対して起動時に同期整流制御を開始すると、スイッチＱ２３のＰＷＭ信号に同期してスイッチＱ２６、Ｑ２７をオン／オフさせ、スイッチＱ２４のＰＷＭ信号に同期してスイッチＱ２５、Ｑ２８をオン／オフさせる。
【００６６】
オフ期間発生回路２５は、起動時に同期整流制御が開始されると、図８（ａ）に示すように、シフト期間ＴＤとは別に、スイッチＱ２１をオフさせるオフ期間ＴＯＦＦ１と、スイッチＱ２２をオフさせるオフ期間ＴＯＦＦ２と、を発生させる（破線で示した部分）。オフ期間発生回路２５は、オフ期間ＴＯＦＦ１、ＴＯＦＦ２を徐々に減少させる（ＴＯＦＦ１＞ＴＯＦＦ２＞ＴＯＦＦ１＞ＴＯＦＦ２・・・）。その結果、スイッチＱ２１、Ｑ２３が同時にオンするオン期間ＴＯＮ１およびスイッチＱ２２、Ｑ２４が同時にオンするオン期間ＴＯＮ２は、徐々に増加する（ＴＯＮ１＜ＴＯＮ２＜ＴＯＮ１＜ＴＯＮ２・・・）。
【００６７】
オフ期間発生回路２５は、起動完了時にはオフ期間ＴＯＦＦ１、ＴＯＦＦ２を最終的にゼロにする（図８（ｂ）参照）。なお、図８（ａ）、（ｂ）では、ソフトスタート制御による位相シフト量の増加を考慮していないため、シフト期間ＴＤが一定になっている。
【００６８】
図９〜図１１に、図８（ａ）のタイミングチャートに従い逆方向電力変換を行ったときの、電流経路を示す。図９〜図１１の各状態番号は、図８（ａ）に記載の状態番号に相当する。図９〜図１１の各状態では、２次側の入出力端Ｔ２３、Ｔ２４間の電圧が、１次側の入出力端Ｔ２１、Ｔ２２間の電圧よりも高くなっているものとする。スイッチ制御回路２４は、逆方向電力変換時も、スイッチＱ２１〜Ｑ２４に対して位相シフト制御を行い、スイッチＱ２５〜Ｑ２８に対して同期整流制御を行う。
【００６９】
図９（ａ）に示す状態２では、スイッチＱ２６、Ｑ２７がオンとなり、かつスイッチＱ２１、Ｑ２３がオンとなるので、チョークコイルＬ２２にはトランスＴＲ２を経由した短絡電流が流れる。これにより、チョークコイルＬ２２にエネルギーが蓄積される。
【００７０】
図９（ｂ）に示す状態２−２では、オフ期間発生回路２５がオフ期間ＴＯＦＦ１を発生させる。すなわち、スイッチ制御回路２４は、スイッチＱ２１〜Ｑ２４に対して位相シフト制御を行い、スイッチＱ２５〜Ｑ２８に対して同期整流制御を行うが、オフ期間発生回路２５が、スイッチＱ２１を強制的にオフさせる。これにより、チョークコイルＬ２２へのエネルギーの蓄積が中断する。このとき第１回路では、入出力端Ｔ２２からダイオードＤ２２、トランスＴＲ２の１次巻線、スイッチＱ２３を経由して入出力端Ｔ２１に電流が流れる。
【００７１】
図１０（ａ）に示す状態３では、スイッチＱ２２がオンする。これにより、入出力端Ｔ２２からスイッチＱ２２、トランスＴＲ２の１次巻線、スイッチＱ２３を経由して入出力端Ｔ２１に電流が流れる。
【００７２】
図１０（ｂ）に示す状態４では、スイッチＱ２５、Ｑ２８がオンとなり、かつスイッチＱ２２、Ｑ２４がオンとなるので、チョークコイルＬ２２にはトランスＴＲ２を経由した短絡電流が流れる。これにより、チョークコイルＬ２２にエネルギーが蓄積される。
【００７３】
図１１（ａ）に示す状態４−２では、オフ期間発生回路２５がオフ期間ＴＯＦＦ２を発生させる。すなわち、スイッチ制御回路２４は、スイッチＱ２１〜Ｑ２４に対して位相シフト制御を行い、スイッチＱ２５〜Ｑ２８に対して同期整流制御を行うが、オフ期間発生回路２５が、スイッチＱ２２を強制的にオフさせる。これにより、チョークコイルＬ２２へのエネルギーの蓄積が中断する。このとき第１回路では、入出力端Ｔ２２からスイッチＱ２４、トランスＴＲ２の１次巻線、ダイオードＤ２１を経由して入出力端Ｔ２１に電流が流れる。
【００７４】
図１１（ｂ）に示す状態１では、スイッチＱ２１がオンする。これにより、入出力端Ｔ２２からスイッチＱ２４、トランスＴＲ２の１次巻線、スイッチＱ２１を経由して入出力端Ｔ２１に電流が流れる。
【００７５】
続いて、図１２を参照しながら、オフ期間発生回路２５の構成について説明する。
【００７６】
オフ期間発生回路２５は、三角波発生回路２５Ａ、２５Ｂと、同期発振回路２５Ｃと、ＲＣ充電回路２５Ｄと、コンパレータ等のアナログ信号の比較回路２５Ｅ、２５Ｆと、本発明の「ゲート回路」に相当するゲート部Ｐ２１、Ｐ２２と、を備える。
【００７７】
三角波発生回路２５Ａは、スイッチ制御回路２４から出力されたスイッチＱ２３の制御信号Ｓ２３に同期して三角波信号を生成し、当該三角波信号を比較回路２５Ｅに出力する。三角波発生回路２５Ｂは、スイッチ制御回路２４から出力されたスイッチＱ２４の制御信号Ｓ２４に同期して三角波信号を生成し、当該三角波信号を比較回路２５Ｆに出力する。三角波信号は、例えば、制御信号Ｓ２３、Ｓ２４がハイレベルになると立ち上がり、制御信号Ｓ２３、Ｓ２４がローレベルになると立ち下がる。
【００７８】
同期発振回路２５Ｃは、同期整流制御時にスイッチ制御回路２４から出力される同期オン信号が入力されているときに、制御信号Ｓ２３または制御信号Ｓ２４がハイレベルになると、ソフトスタート制御に合わせた時定数でＲＣ充電回路２５Ｄを充電する。ＲＣ充電回路２５Ｄは、抵抗およびコンデンサを含み、充電電圧に応じた信号を比較回路２５Ｅ、２５Ｆに出力する。
【００７９】
比較回路２５Ｅは、三角波発生回路２５Ａの三角波信号とＲＣ充電回路２５Ｄの出力信号とを比較し、例えば、三角波信号がＲＣ充電回路２５Ｄの出力信号よりも大のときにローレベルの信号（本発明の「第１信号」に相当）を出力し、三角波信号がＲＣ充電回路２５Ｄの出力信号よりも小のときにハイレベルの信号（本発明の「第２信号」に相当）を出力する。比較回路２５Ｆは、三角波発生回路２５Ｂの三角波信号とＲＣ充電回路２５Ｄの出力信号とを比較し、例えば、三角波信号が出力信号よりも大のときにローレベルの信号を出力し、三角波信号が出力信号よりも小のときにハイレベルの信号を出力する。ＲＣ充電回路２５Ｄの出力信号は、上記のとおりソフトスタート制御に合わせた時定数で増大するので、比較回路２５Ｅ、２５Ｆのローレベルの出力信号期間は徐々に短くなる。
【００８０】
ゲート部Ｐ２１、Ｐ２２は、イネーブル端子付きの論理素子または論理回路（例えば、ＡＮＤ回路）で構成される。ゲート部Ｐ２１の出力信号はスイッチＱ２１の制御端子に入力され、ゲート部Ｐ２２の出力信号はスイッチＱ２２の制御端子に入力される。なお、スイッチＱ２３〜Ｑ２８の制御端子には、スイッチ制御回路２４から出力されたスイッチＱ２３〜Ｑ２８の制御信号Ｓ２３〜Ｓ２８がそのまま入力される。
【００８１】
ゲート部Ｐ２１は、スイッチＱ２１の制御信号Ｓ２１と比較回路２５Ｅの出力信号とが入力され、比較回路２５Ｅの出力信号がローレベルの場合に制御信号Ｓ２１をローレベル（オフ）にしてスイッチＱ２１に出力する一方、比較回路２５Ｅの出力信号がハイレベルの場合に制御信号Ｓ２１をそのままスイッチＱ２１に出力する。ゲート部Ｐ２１を介した制御信号Ｓ２１がハイレベルの場合、スイッチＱ２１はオンし、ゲート部Ｐ２１を介した制御信号Ｓ２１がローレベルの場合、スイッチＱ２１はオフする。
【００８２】
ゲート部Ｐ２２は、スイッチＱ２２の制御信号Ｓ２２と比較回路２５Ｆの出力信号とが入力され、比較回路２５Ｆの出力信号がローレベルの場合に制御信号Ｓ２２をローレベル（オフ）にしてスイッチＱ２２に出力する一方、比較回路２５Ｆの出力信号がハイレベルの場合に制御信号Ｓ２２をそのままスイッチＱ２２に出力する。ゲート部Ｐ２２を介した制御信号Ｓ２２がハイレベルの場合、スイッチＱ２２はオンし、ゲート部Ｐ２２を介した制御信号Ｓ２２がローレベルの場合、スイッチＱ２２はオフする。
【００８３】
上記のとおり、比較回路２５Ｅ、２５Ｆのローレベルの出力信号は徐々に短くなるので、スイッチＱ２１、Ｑ２２が強制的にオフになるオフ期間（ＴＯＦＦ１、ＴＯＦＦ２）は徐々に短くなる。
【００８４】
結局、本実施形態に係る双方向絶縁型ＤＣ／ＤＣコンバータ２０によれば、オフ期間発生回路２５が、チョークコイルＬ２２にエネルギーが蓄積されないようにするオフ期間（ＴＯＦＦ１、ＴＯＦＦ２）を発生させるので、起動時にチョークコイルＬ２２へのエネルギー蓄積期間が最大になるのを防ぐことができる。その結果、逆方向電力変換の起動時の過大な電流による２次側のスイッチＱ２５〜Ｑ２８の破損を抑制できる。
【００８５】
以上、本発明に係る双方向絶縁型ＤＣ／ＤＣコンバータの実施形態について説明したが、本発明は上記各実施形態に限定されるものではない。
【００８６】
本発明の第１回路は、複数のスイッチからなる第１スイッチ回路を含む電圧型の回路であれば、適宜構成を変更することができる。本発明の第２回路は、複数のスイッチからなる第２スイッチ回路とチョークコイルとを含む電流型の回路であれば、適宜構成を変更することができる。例えば、第１スイッチ回路または第２スイッチ回路は、ハーフブリッジ回路でもよい。
【００８７】
本発明のスイッチ制御回路は、第１スイッチ回路に対して位相シフト制御を行う一方、第２スイッチ回路に対して同期整流制御を行うのであれば、適宜構成を変更することができる。また、位相シフト制御におけるスイッチングパターンおよび同期整流制御におけるスイッチングパターンは、適宜変更することができる。
【００８８】
本発明のオフ期間発生回路は、第１スイッチ回路または第２スイッチ回路に含まれる少なくとも１つのスイッチをオフさせて、位相シフト量の時間差に相当するシフト期間とは別に、チョークコイルにエネルギーが蓄積されないようにするオフ期間を発生させるのであれば、適宜構成を変更することができる。
【００８９】
また、上記の実施形態では、説明のためにオフ期間発生回路をスイッチ制御回路とは別に設けたが、スイッチ制御回路に含めてもよい。
【００９０】
また、上記の実施形態では、オフ期間の発生をオフ期間発生回路で説明したが、マイコン等のデジタル制御で行う場合は、同等の機能をソフト処理で行ってもよい。この場合、ソフト処理を行うマイコン等がオフ期間発生回路に相当する。
【００９１】
絶縁変圧部は、複数のトランスで構成されていてもよい。
【符号の説明】
【００９２】
１０、２０    双方向絶縁型ＤＣ／ＤＣコンバータ
１１    フルブリッジ回路（第１スイッチ回路）
２１    第１フルブリッジ回路（第１スイッチ回路）
１２    プッシュプル回路（第２スイッチ回路）
２２    第２フルブリッジ回路（第２スイッチ回路）
１３、２３    制御部
１４、２４    スイッチ制御回路
１５、２５    オフ期間発生回路
【図１】
2018121430.tif 000003
【図２】
2018121430.tif 000004
【図３】
2018121430.tif 000005
【図４】
2018121430.tif 000006
【図５】
2018121430.tif 000007
【図６】
2018121430.tif 000008
【図７】
2018121430.tif 000009
【図８】
2018121430.tif 000010
【図９】
2018121430.tif 000011
【図１０】
2018121430.tif 000012
【図１１】
2018121430.tif 000013
【図１２】
2018121430.tif 000014
【図１３】
2018121430.tif 000015
【図１４】
2018121430.tif 000016